(57)【要約】【課題】  ベランダの手摺と窓の上方の壁面間に簡単に設置でき、室内に日射の侵入を防止すると共に、通気性も良好なベランダ用日除け装置とする。【解決手段】  建造物の窓Ａの外方に設けられたベランダＢの手摺Ｃと窓Ａの上方の壁面の間に、斜めにシート１が張設される日除け装置である。シート１の下部を数箇所手摺Ｃ側に取り付け紐４で着脱可能に固定する。シート１の上部に数箇所操作紐５の一端を固着する。各操作紐５の他端を窓Ａの上方の壁面Ｄ側に設けた各滑車６を介して、窓Ａの一方の側面側の壁面Ｄ側に設けた操作紐固定具７に着脱可能に一緒に結着する。操作紐５の操作でシート１の上部を昇降させる。【選択図】  図１
0003111202.tif 000002
【実用新案登録請求の範囲】
【請求項１】
建造物の窓の外方に設けられたベランダの手摺と窓の上方の壁面の間に、斜めにシートが張設される日除け装置であって、シートの下部が数箇所手摺側に取り付け紐で着脱可能に固定され、シートの上部に数箇所操作紐の一端が固着されると共に、各操作紐の他端が窓の上方の壁面側に設けた各滑車を介して、窓の一方の側面側の壁面側に設けた操作紐固定具に着脱可能に一緒に結着され、操作紐の操作でシートの上部を昇降させることを特徴とするベランダ用日除け装置。
【請求項２】
シートは遮熱シートであることを特徴とする請求項１記載のベランダ用日除け装置。
【請求項３】
シートは通気性を有することを特徴とする請求項１又は２記載のベランダ用日除け装置。
【考案の詳細な説明】
【技術分野】
【０００１】
本考案は建造物のベランダに設置される日除け装置に関するものである。
【背景技術】
【０００２】
マンション等のベランダの窓からの日射の侵入による室温の上昇は、特に夏季においては冷房機器の消費電力の上昇を招き、このため省エネルギー対策として日射が窓ガラスを通過する前に遮蔽し、窓ガラスに吸収される熱量を減少し、シートに吸収された熱も屋外で放出される遮蔽効率のよい日除けがベランダに設置されている。
【０００３】
このような日除けとして、従来に実開昭６２−１９３２１号のベランダ用日除け装置や、特開２００３−４１７２７のベランダ用日除け装置が提案されている。
実開昭６２−１９３２１号のベランダ用日除け装置は、ベランダの天井面と床面の間に高さ調節可能な一対の垂直支柱を設け、この垂直支柱の上端部間にスクリーンを巻装したロールを横架して、スクリーンを垂直支柱のガイド溝に沿って上下移動するようにしたものである。
【０００４】
また、特開２００３−４１７２７のベランダ用日除け装置はベランダの天隅部とフェンスの手摺部分との間に架け渡す一対の支持用ポールと、支持用ポール間を上部で連結して間隔調節自在の接続バーとでフレームを形成し、このフレーム間に網目シェードシートを張設し、支持用ポールに調節手段を設けると共に、支持用ポールの下端に脚部アタッチメントを、上端に上部アタッチメントを備えたものである。
【０００５】
このように、従来のベランダ用日除け装置は、スクリーンを設けるための垂直支柱やロールなど、或いはシートを張設するためのフレームやアタッチメントなど構成が複雑で製造コストも高くつき、且つベランダへの着脱は使用者が簡単にできず不便なものであった。
また、簡単な構成のものとしては、簾をベランダの天井から吊り下げていたが、風を受けると揺れ動き目障りとなるものであった。
【考案の開示】
【考案が解決しようとする課題】
【０００６】
上記点より本考案は、ベランダの手摺と窓の上方の壁面間に簡単に設置でき、室内に日射の侵入を防止すると共に、通気性も良好なベランダ用日除け装置を提供しようとするものである。
【課題を解決するための手段】
【０００７】
上記課題を解決するため請求項１記載の本考案ベランダ用日除け装置は、建造物の窓の外方に設けられたベランダの手摺と窓の上方の壁面の間に、斜めにシートが張設される日除け装置であって、シートの下部が数箇所手摺側に取り付け紐で着脱可能に固定され、シートの上部に数箇所操作紐の一端が固着されると共に、各操作紐の他端が窓の上方の壁面側に設けた各滑車を介して窓の一方の側面側の壁面側に設けた操作紐固定具に着脱可能に一緒に結着され、操作紐の操作でシートの上部を昇降させることを特徴とするものである。
【０００８】
このような構成とすることにより、シートの設置は各取り付け紐を手摺に結着してシートの下部を手摺側に固定し、シートの上部は各操作紐を窓の上方の壁面側に設けた各滑車に係合して、各操作紐を引くことによりシートの上部が上昇し、窓の一方の側の壁面側に設けた操作紐固定具に操作紐の端部を結着するだけで、ベランダの手摺と窓の上方の壁面間に斜めに簡単にシートを張設できる。操作紐は滑車により軽快に引くことができる。
【０００９】
又、シートを取り外す時は、操作紐を操作紐固定具から外して緩めれば、シートの上部が下降しシートはベランダの床面に落下するから、取り付け紐を手摺から外すだけで簡単に取り外しが可能である。
【００１０】
次に、請求項２記載の本考案ベランダ用日除け装置は、請求項１記載のベランダ用日除け装置において、シートは遮熱シートであることを特徴とするものである。
【００１１】
このような構成とすることにより、夏季において強い太陽光線を遮断でき、室内の温度の上昇を確実に抑えることができる。
【００１２】
次に、請求項３記載の本考案ベランダ用日除け装置は、請求項１又は２記載のベランダ用日除け装置において、シートは通気性を有することを特徴とするものである。
【００１３】
このような構成とすることにより、風が通るのでシートと窓の間に熱気がこもることがなく、これも室温の上昇を抑えることになると共に、窓を開けた時は風が通るので涼しく快適な日除けとなる。
【考案の効果】
【００１４】
本考案のベランダ用日除け装置によれば、ベランダへの設置及び取り外しは使用者が簡単に行えると共に、シートの上部及び下部は固定されて張設されるので、従来の簾のように揺れ動くことがないので目障りとならず、外観も良好なものとなる。
又、日除けの構成も簡単であるため、製造コストも安価となると共に、シートを張設するためのフレーム等がないので、不使用時にはコンパクトに収納でき保管に便利なものとなる効果を有する。又、遮熱効果及び通気性を有するため、快適な日除けとなる。
【考案を実施するための最良の形態】
【００１５】
以下、本考案の一実施の形態を添付図面を参照して説明する。
図１は本考案ベランダ用日除け装置の一実施の形態を示す斜視図である。
【００１６】
本考案ベランダ用日除け装置は、マンション等の建造物の窓Ａの外方に設けられたベランダＢの手摺Ｃと、窓Ａの上方の壁面Ｄの間に斜めにシート１を張設するものである。
シート１は横長の方形状に形成され、このシート１の長辺側の何れか一方の側が上部、他方の側が下部となる。シート１の周囲の側縁に補強用縁部材２が固着されるとともに、シート１の角部及びシート１の長辺の中央部の補強用縁部材２に鳩目３が設けられている。
【００１７】
シート１は太陽光線反射加工を施された繊維素材で簾状に形成し、軽くて通気性及び遮熱性を有している。又、シート１は生地の表面にアルミ箔を蒸着コーティングして成る遮熱用シートを使用することもできる。補強用縁部材２は布製又は繊維性ベルトを使用し、シート１に縫着又は接着剤等で固着されている。補強用縁部材２が固着されている側を使用時にシートの裏側（窓側）としている。
【００１８】
シート１の長辺側の一方の側の各鳩目３に取り付け紐４の一端が結着され、他端は手摺Ｃに着脱可能に結着され、この取り付け紐４によりシート１の下部が手摺Ｃに固定される。
【００１９】
又、シート１の上部側の各鳩目３に操作紐５の一端がそれぞれ結着されている。この操作紐５の他端は窓Ａの上方の壁面Ｄに設けた各滑車６を介して、窓Ａの一方の側面側の壁面Ｄに設けた操作紐固定具７に着脱可能に一緒に結着される。
【００２０】
滑車６はシート１の上部の鳩目３に対応して横一列に配設されている。又、滑車６は取り付け板８に固着され、この取り付け板８は窓Ａの上方の壁面Ｄに接着剤で貼着されている。勿論、取り付け板８を釘等の止着部材で固定しても良い。
【００２１】
操作紐固定具７は操作紐５の他端を結着するためのものであり、フック等の係止金具が使用され、取り付け板９に固着されている。この取り付け板９は窓Ａの一方の側面側の壁面Ｄに接着剤又は釘等により固定されている。シート１の張設は各操作紐５を個々に引いてシート１が緊張するまでシート１の上部を引き上げ、各操作紐５の端部を操作紐固定具７に一緒に纏めて結着する。
これによりシート１は上部が固定され、ベランダＢの手摺Ｃと窓Ａの上方の壁面Ｄの間に斜めに張設される。
【００２２】
以上、本考案を実施形態に基ずき具体的に説明したが、本考案は上記実施形態に何ら限定されるものではなく、例えば、シート１が大きいものであれば、補強用縁部材２と同一素材の補強用ベルト部材を縫着又は接着剤等で対向辺間に固着してもよい。又、手摺Ｃ側にフック等の係止金具を設け、この係止金具に取り付け紐４の端部を結着してもよい等、本考案の趣旨を逸脱しない範囲内において種々の改良、変形が可能である。
【図面の簡単な説明】
【００２３】
【図１】本考案ベランダ用日除け装置の一実施の形態を示す斜視図である。
【符号の説明】
【００２４】
１        シート
４        取り付け紐
５        操作紐
６        滑車
７        操作紐固定具
Ａ        窓
Ｂ        ベランダ
Ｃ        手摺
Ｄ        壁面
【図１】
0003111202.tif 000003